(57)【要約】【課題】  外筒に膨出部を形成しなくて済み、かつ、鍵違い変換作業が容易な可変レバータンブラー錠を提供する。【解決手段】  レバータンブラー錠の各レバータンブラーを、略Ｃ字形で相互に重合するタンブラーＡ１ＡとタンブラーＢ１Ｂとを組合わせたものとする一方、支軸２をその両端に突設した偏芯軸の軸線回りを回動できるように支承し、タンブラーＡ１Ａの自由端部内側縁部のタンブラーＢ１Ｂと対向する側に係合突起９を、また、タンブラーＢ１Ｂの内側縁部にはタンブラーＡ１Ａの係合突起９と係合可能な係合凹部１１の複数を夫々形成し、一方、鍵違い変換時支軸２を押し下げ、係合突起９と係合凹部１１との係合を解くようにしたものにおいて、洗濯挟み様の変換クリップの作用端により錠本体の外筒基部を挟み、その内側に突設された変換突起を作業孔２１から外筒１６内に挿入して、スペーサリング１５を介して支軸２を押し下げる。【選択図】  図５
2005240360.tif 000002
【特許請求の範囲】
【請求項１】
レバータンブラー錠の各レバータンブラーを、略Ｃ字形で相互に重合するタンブラーＡとタンブラーＢとを組合わせたものとする一方、中心軸線が外方に向かうように付勢された支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定した錠本体と、洗濯挟み様で、外力が作用しない常態において閉じる方向に付勢された作用端、及び、この作用端を拡開する方向に手指で操作する操作端を有し、作用端の少なくとも一方の内側に他方に向かって突出する変換突起を突設した変換クリップとを有するものにおいて、錠本体の支軸の内端部に大径鍔部を形成し、軸線方向においてこの大径鍔部と整合する外筒外周面に、これを外筒半径方向に貫通し、上記変換突起が挿通できる作業孔を形成し、鍵違い変換時、変換突起を作業孔に挿入するようにして、変換クリップの作用端により錠本体の外筒基部を挟み、変換突起により支軸の大径鍔部を内方に押動して、タンブラーＡの係合突起とタンブラーＢの係合凹部とを切り離すようにしたことを特徴とする可変レバータンブラー錠。
【請求項２】
上記支軸の大径鍔部が、支軸内端部に嵌合する蛇の目状のスペーサリングである請求項１に記載の可変レバータンブラー錠。
【請求項３】
上記支軸の大径鍔部が、支軸に一体に形成されたものである請求項１に記載の可変レバータンブラー錠。
【発明の詳細な説明】
【技術分野】
【０００１】
この発明は、可変レバータンブラー錠に係り、特に、鍵違いの変換機構を合理的に変更して構造を簡単にすると共に、外形寸法を小さくすることができる可変レバータンブラー錠に関する。
【背景技術】
【０００２】
本出願人は、先に、後記特許文献１〜５を以て、新規な可変レバータンブラー錠を提案した。
【０００３】
これらの可変レバータンブラー錠は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定し、他方、支軸を外方に付勢する一方、内筒の内端部に、内筒の半径方向に移動可能で、外部から操作可能なスイッチ部材を支軸の外側からこれに当接可能に設けたものである。
【０００４】
そして、この発明を理解するためには、上記可変レバータンブラー錠の構造を理解する必要があるが、その構造は上記各特許文献に記載されているので、ここでは簡単に説明する。
【０００５】
図１において符号１はレバータンブラーを示し、このレバータンブラー１を、略Ｃ字形で相互に重合するタンブラーＡ１ＡとタンブラーＢ１Ｂとを組合わせたものとする一方、図で上方に付勢された支軸２をその両端に突設した偏芯軸３（図２参照）の軸線回りを回動できるように支承する。
【０００６】
なお、図１においてタンブラーＢ１Ｂにハッチングを施したのはタンブラーＡ１Ａと紛れないようにしただけであって、実際にハッチングが施されているわけではない。図１においてはタンブラーＢ１Ｂが手前側に、タンブラーＡ１Ａはその裏側に配置されている。
【０００７】
また、図１に示すタンブラーＡ１ＡのＣ字形はその開口端が相互に接続されているが、これはタンブラーの剛性を高めるためであって、このようにＣ字形の開口端を接続したものもＣ字形の概念に含めるものとする。
【０００８】
一方、一端を縦長の逃げ孔４を介して支軸２に遊嵌させたタンブラーＡ１Ａには、合鍵５の鍵溝６との係合部７を形成すると共に、これを合鍵５と干渉する方向、図１では反時計方向に付勢し、また、一端を支軸に回動自在に嵌合させたタンブラーＢ１Ｂの自由端部外側端縁に解錠切欠８を形成すると共に、タンブラーＡ１Ａの合鍵側端縁との係合部７と重合する部分を合鍵と干渉しないように成形する。
【０００９】
他方、タンブラーＡ１Ａの自由端部内側縁部のタンブラーＢ１Ｂと対向する側に係合突起９を、また、タンブラーＢ１Ｂの内側縁部には支軸２を中心とする円弧上にタンブラーＡの係合突起９と係合可能な係合凹部１１の複数を夫々形成すると共に、係合凹部１１の形成角度位置を、合鍵５の側端縁に形成された複数種類の深さの鍵溝６にタンブラーＡの係合部が夫々係合したとき、その係合突起と整合するように設定する。
【００１０】
図１は一の合鍵を鍵孔に差込んだ状態を示し、したがって解錠切欠８がロッキングバー１２と角度的に整合している。
【００１１】
この状態で、図２及び図３に示すように、シリンダの内端側から変換ピン１３を挿入して、スイッチ部材１４及び支軸２の内端に嵌装されたスペーサリング１５を介して支軸２に矢印方向、すなわち下向きの力を印加すると、支軸２は偏芯軸３の中心軸ｃの回りを反時計方向に回動する。
【００１２】
なお、図１はタンブラー１をシリンダの内端側から見ているので、図１においては、支軸２は上記中心軸ｃの回りを時計方向に回動する。
【００１３】
その結果、支軸２はタンブラーＡ１Ａの一端に形成された前記縦長の逃げ孔４を遊嵌するので、タンブラーＡを図１の位置に残した状態でタンブラーＢ１１Ｂのみを下降させる（図示せず）。
【００１４】
図１から明らかなように、解錠切欠８とロッキングバー１２とは角度的に整合しているから、上記タンブラーＢ１Ｂの下降は可能であり、タンブラーＡ１Ａの係合突起９は係合凹部１１から抜き外される。
【００１５】
この状態では一の合鍵を抜くことができるので、一の合鍵を鍵孔から抜くと、タンブラーＡ１Ａはその付勢力により図１で反時計方向に回動するが（図示せず）、他の新たな合鍵を挿入することにより、タンブラーＡ１Ａは図１とは異なる新たな角度位置に迄回動する。
【００１６】
この状態で前記変換ピン１３（図３参照）を抜いて支軸２を元の位置に戻すと、タンブラーＢ１Ｂも連れ動いて図１に示す位置に戻り、このとき係合突起は新たな係合凹部と係合するに致り、タンブラーＡ１ＡとタンブラーＢ１Ｂとの係合の態様が前とは異なり、したがって鍵違いを変更することができるのである。
【特許文献１】特願２００１−３７９２６８
【特許文献２】特願２００２−０１４２７４
【特許文献３】特願２００２−１１３８６８
【特許文献４】特願２００２−１１９７８１
【特許文献５】特願２００２−１３１５６８
【特許文献６】特願２００３−３６９０００
【発明の開示】
【発明が解決しようとする課題】
【００１７】
上記した構造の可変レバータンブラー錠は、図４に示すように、外筒１６の基部に膨出部１７を突出形成し、この膨出部１７内にスイッチ部材１４を例えば図４で上下方向に案内できる案内洞１８を設けている。
【００１８】
なお、図４で外筒の下方に形成された膨出部は、デザイン上必要なので設けられた膨出部で、可変レバータンブラー錠の必須の構成要素ではない。
【００１９】
しかしながら、外筒に形成された膨出部は、その存在故に可変レバータンブラー錠の構造を複雑にするし、また、外筒の加工が面倒になり、加えて、デザイン上不利である、等種々の不都合の原因となっている。
【００２０】
そこで、本出願人は先に、上記特許文献６を以て、鍵違い変換機構を合理的に変更し、外筒に膨出部を形成しなくても済む可変レバータンブラー錠を提案した。
【００２１】
この発明は、上記特許文献６によって提案された発明を更に改良し、鍵違い変換作業の能率を更に向上させることを目的としている。
【課題を解決するための手段】
【００２２】
上記の目的を達成するため、この発明は、レバータンブラー錠の各レバータンブラーを、略Ｃ字形で相互に重合するタンブラーＡとタンブラーＢとを組合わせたものとする一方、中心軸線が外方に向かうように付勢された支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定した錠本体と、洗濯挟み様で、外力が作用しない常態において閉じる方向に付勢された作用端、及び、この作用端を拡開する方向に手指で操作する操作端を有し、作用端の少なくとも一方の内側に他方に向かって突出する変換突起を突設した変換クリップとを有するものにおいて、錠本体の支軸の内端部に大径鍔部を形成し、軸線方向においてこの大径鍔部と整合する外筒外周面に、これを外筒半径方向に貫通し、上記変換突起が挿通できる作業孔を形成し、鍵違い変換時、変換突起を作業孔に挿入するようにして、変換クリップの作用端により錠本体の外筒基部を挟み、変換突起により支軸の大径鍔部を内方に押動して、タンブラーＡの係合突起とタンブラーＢの係合凹部とを切り離すようにしたことを特徴とする。
【発明の効果】
【００２３】
上記のように構成されたこの発明による可変レバータンブラー錠は、支軸を駆動するため外筒に摺動可能に案内されたスイッチ部材が不要となるので、外筒に膨出部を形成することなく、単なる筒体とすることができる。
【００２４】
そのため、可変レバータンブラー錠の構造を簡単かつコンパクトにすることができ、また、鍵違い変換時の操作を確実に行える。
【００２５】
更にまた、変換クリップの操作端を摘んだり離したりするだけでタンブラーＡの係合突起とタンブラーＢの係合凹部の切り離し、及び再係合作用を行えるので、上記特許文献６に記載の発明と比較して鍵違い変換作業の能率が各段に向上する、等種々の効果を奏する。
【発明を実施するための最良の形態】
【００２６】
従来の外筒半径方向に摺動するスイッチ部材の代りに、外筒の基部に作業孔を挿通する変換クリップの変換突により支軸を直接駆動するので、可変レバータンブラー錠の外筒に膨出部を形成する必要を無くし、また、鍵違い変換作業を極めて容易にした。
【実施例１】
【００２７】
以下、この発明の実施例を図５乃至図８を参照して説明する。
図５乃至図７において符号１６は可変レバータンブラー錠の外筒を示し、この外筒１６の基端部で、図５において時計盤面に換算して１２時の角度位置に、外筒１６を貫通する作業孔２１が形成されている。なお、図７においては、図面を明瞭にするために、この作業孔に付番しない。
【００２８】
この作業孔２１の外筒軸線方向における位置は、支軸２の基端に嵌装されたスペーサリング１５（図２及び図３参照）と整合する位置とする。
【００２９】
また、図示の実施例において、この作業孔２１の外筒１６の外周面における開口の形状は、後述の変換突起２７（図６参照）の断面形状に応じて、この変換突起２７が挿通できる外形寸法の細長い矩形となっている。
【００３０】
一方、図６において符号２２は変換クリップを示し、この変換クリップ２２は、全体の形状が洗濯挟み様で、内蔵された捩りコイルばねとしてのクリップばね２２の弾力により、その作用端（図乃至図８で左端）が閉じる方向に付勢されている。
【００３１】
この上記変換クリップ２２は、例えば、全体の形状が略ト字形で、付番しないリブを残して内側の肉を盗んだ第１及び第２部材２４、２５の中央部内側の突部を一部重合させた態様で突き合せ、この重合部を挿通する図示しない回動軸により、第１及び第２部材２４、２５を一体かつ相互に回動できるように連結して公知の洗濯挟み様に構成されている。
【００３２】
また、変換クリップ２２の作用端の内側は、図７に示すように、可変レバータンブラー錠の外筒１６の外周面に接合できるように断面円弧状に形成されている。
【００３３】
更にまた、第１及び第２部材の先端部内側には、図７及び図８に示すように、紙面に対する投影形状が矩形で、横断面形状が細長い矩形（図６参照）の有底の凹部２６が形成されている。
【００３４】
そして、この凹部２６、２６の内一つ（図示の実施例では第１部材２４の凹部２６）内に、抜け止めのため側端縁を鋸歯状に成形した変換突起部材２７が例えば圧入により装着されている。
【００３５】
この変換突起部材２７の下端部は例えば半円形に成形されて変換突起を構成しており、この変換突起２７の下方への突出量は、第５図及び図７に示すように、外筒１６の作業孔２１を挿通して変換突起２７を外筒内に挿入したとき、図５に示すように、変換突起がスペーサリング１９を下方に押動して、タンブラーＡ１ＡとタンブラーＢ１Ｂとが相互に切り離されるように設定されている。
【００３６】
上記のように構成されたこの発明の一実施例による可変レバータンブラー錠は、図１に示すように、鍵違い変換時それ迄の合鍵５を鍵孔６に挿入してタンブラーＢＩＢの解錠切欠８とロッキングバー１２の内側端縁を整合させる。
【００３７】
次いで、図５及び図７に示すように、変換クリップ２２の先端部で外筒１６の基端部を挟むようにして、かつ、変換突起２７を外筒の作業孔２１から外筒内に差込む。
【００３８】
すると、作業孔２１を挿通した変換突起２７が支軸の大径鍔部であるスペーサリング１５の外周縁を、支軸ばね２８（図４参照）の弾力に抗して下方に押動する。
【００３９】
そのため、支軸２は図５において偏芯軸３（図２及び図３参照）の回りを時計方向に少し回動し、この支軸２の回動に伴ってタンブラーＢＩＢが下方に移動して、係合突起９と係合凹部１１との係合を解く。
【００４０】
この場合、変換クリップの先端部はクリップばね２３の弾力により閉じているので、変換クリップ２２から手を放しても図５に示す状態は変らない。
【００４１】
次いで新しい合鍵を挿入すると、タンブラーＡ１Ａは新しい合鍵の鍵溝に対応した角度位置に迄回動するので、この状態で変換クリップ２２の操作端（図６乃至図８で右端）を手指で摘んで、図８に示すように操作端を拡開すると、変換突起２７は外筒の作業孔２１から抜去される。
【００４２】
すると、上記支軸ばね２８の弾力によってタンブラーＢ１Ｂが上昇し、その何れかの係合凹部１１が新しい角度位置における係合突起９と係合し、このようにしてタンブラーＡ１ＡとタンブラーＢ１Ｂとの新しい相対角度位置が定まる。
【００４３】
なお、図示の実施例では、支軸の大径鍔部を支軸とは別体のスペーサリングとし、これを支軸の内端部に嵌装するものとしたが、これは支軸を削り出すとき、或いは塑性加工するとき、支軸と一体に削り出し、或いは形成してもよいことは勿論である。
【図面の簡単な説明】
【００４４】
【図１】従来の可変レバータンブラー錠の支持機構の一例を示す拡大横断面図。
【図２】スイッチ部材による支軸の駆動機構を示す拡大外観斜視図で、常態を示す。
【図３】図２と同様のスイッチ部材による支軸の駆動機構を示す拡大外観斜視図で、変換ピンによりスイッチ部材を駆動した状態を示す。
【図４】従来の可変レバータンブラー錠の一部断面側面図。
【図５】この発明の要部を示す図１と同様の可変レバータンブラー錠の拡大横断面図で、変換突起を外筒内に挿入すると共に、それまでの合鍵を一度挿入して抜いた状態を示す。
【図６】鍵違い変換時、変換クリップの作用端により可変レバータンブラー錠の基端を挟んだ状態を示す平面図。
【図７】変換クリップの縦断面図で、作用端に間に外筒を挟んだ状態を示す。
【図８】変換クリップの縦断面図で、操作端を摘んで作用端を拡開した状態を示す。
【符号の説明】
【００４５】
１  レバータンブラー
１Ａ  タンブラーＡ
１Ｂ  タンブラーＢ
２  支軸
３  偏芯軸
４  逃げ孔
５  合鍵
６  鍵溝
７  係合部
８  解錠切欠
９  係合突起
１１  係合凹部
１２  ロッキングバー
１３  変換ピン
１４  スイッチ部材
１５  大径鍔部
１６  外筒
２１  作業孔
２２  変換クリップ
２３  クリップばね
２７  変換突起
２８  支軸ばね
【図１】
2005240360.tif 000003
【図２】
2005240360.tif 000004
【図３】
2005240360.tif 000005
【図４】
2005240360.tif 000006
【図５】
2005240360.tif 000007
【図６】
2005240360.tif 000008
【図７】
2005240360.tif 000009
【図８】
2005240360.tif 000010